(57)【要約】【課題】ＢＦ３点式タイプまたはＯ２タイプの電源コンセントにも対応でき、シャッタ開閉式の電源コンセントの全てに対応可能な補助プラグを提供する。【解決手段】例えばＢＦ３点式タイプの電源コンセント８を使用する場合には、基板１１表面の第２マスタキーピン２２をシャッタ開閉用ピン孔８−３に、基板１１表面の一対の第３マスタキーピン２３，２３を一対のシャッタ開閉用ピン溝８−４，８−４に位置合わせして挿入する。第２マスタキーピン２２をシャッタ開閉用ピン孔８−３の奥深くまで進入させ、その根元にある第１マスタキーピン２１を挿入し、第３マスタキーピン２３をシャッタ開閉用ピン溝８−４に同時に挿入して、一対の電力取出用ピン孔８−１，８−１を塞いでいた一対のシャッタ８−２，８−２を開いて使用可能な状態とする。【選択図】  図３
2004178961.tif 000002
【特許請求の範囲】
【請求項１】
ＢＦ３点式タイプまたはＯ２タイプの電源コンセントにアダプタプラグを装着する際に使用する補助プラグであって、
絶縁体で形成された１つの基板と、
上記基板の表面に突設され、ＢＦ３点式タイプの電源コンセントに設けられたシャッタ開閉用ピン孔に差し込んで電力取出用ピン孔を塞いでいるシャッタを開く第１マスタキーピンと、
上記基板の表面に突設され、Ｏ２タイプの電源コンセントに設けられたシャッタ開閉用ピン孔に差し込んで電力取出用ピン孔を塞いでいるシャッタを開く第２マスタキーピンと、
上記基板の表面に突設され、ＢＦ３点式タイプの電源コンセントのシャッタに設けられた一対のシャッタ開閉用ピン溝に差し込んで電力取出用ピン孔を塞いでいるシャッタを開く一対の第３マスタキーピンと、
上記基板の裏面に形成され、アダプタプラグの断面形状と同一形状を有する凹部と、
上記凹部の内側に穿設され、基板の裏面から表面にかけて貫通し、アダプタプラグの電力取出用ピンが挿入されるピン挿入孔と、
を具備する
ことを特徴とする補助プラグ。
【請求項２】
Ｂ３タイプ，ＢＦタイプ，ＢＦ３点式タイプ，またはＯ２タイプのいずれかのタイプの電源コンセントにアダプタプラグを装着する際に使用する補助プラグであって、
絶縁体で形成された１つの基板と、
上記基板の表面に突設され、ＢＦタイプまたはＢＦ３点式タイプの電源コンセントに設けられたシャッタ開閉用ピン孔に差し込んで電力取出用ピン孔を塞いでいるシャッタを開く第１マスタキーピンと、
上記基板の表面に突設され、Ｏ２タイプの電源コンセントに設けられたシャッタ開閉用ピン孔に差し込んで電力取出用ピン孔を塞いでいるシャッタを開く第２マスタキーピンと、
上記基板の表面に突設され、ＢＦ３点式タイプの電源コンセントのシャッタに設けられた一対のシャッタ開閉用ピン溝に差し込んで電力取出用ピン孔を塞いでいるシャッタを開く一対の第３マスタキーピンと、
上記基板の裏面に突設され、Ｂ３タイプの電源コンセントに設けられたシャッタ開閉用ピン孔に差し込んで電力取出用ピン孔を塞いでいるシャッタを開く第４マスタキーピンと、
上記基板の裏面に形成され、アダプタプラグの断面形状と同一形状を有する凹部と、
上記凹部の内側に穿設され、基板の裏面から表面にかけて貫通し、アダプタプラグの電力取出用ピンが挿入されるピン挿入孔と、
を具備する
ことを特徴とする補助プラグ。
【請求項３】
Ｂ３タイプ，ＢＦタイプ，ＢＦ３点式タイプ，またはＯ２タイプのいずれかのタイプの電源コンセントにアダプタプラグを装着する際に使用する第１補助プラグと第２補助プラグとの２分割体から構成された補助プラグであって、
上記第１補助プラグは、
絶縁体で形成された第１基板と、
上記第１基板の表面に突設され、ＢＦタイプまたはＢＦ３点式タイプの電源コンセントに設けられたシャッタ開閉用ピン孔に差し込んで電力取出用ピン孔を塞いでいるシャッタを開く第１マスタキーピンと、
上記第１基板の表面に突設され、Ｏ２タイプの電源コンセントに設けられたシャッタ開閉用ピン孔に差し込んで電力取出用ピン孔を塞いでいるシャッタを開く第２マスタキーピンと、
上記第１基板の表面に突設され、ＢＦ３点式タイプの電源コンセントのシャッタに設けられた一対のシャッタ開閉用ピン溝に差し込んで電力取出用ピン孔を塞いでいるシャッタを開く一対の第３マスタキーピンと、
上記第１基板の裏面に形成され、アダプタプラグの断面形状と同一形状を有する第１凹部と、
上記第１凹部の内側に穿設され、第１基板の表面から裏面にかけて貫通し、アダプタプラグの電力取出用ピンが挿入される第１ピン挿入孔と、
を具備し、
上記第２補助プラグは、
絶縁体で形成された第２基板と、
上記第２基板の表面に突設され、Ｂ３タイプの電源コンセントに設けられたシャッタ開閉用ピン孔に差し込んで電力取出用ピン孔を塞いでいるシャッタを開く第４マスタキーピンと、
上記第２基板の裏面に形成され、アダプタプラグの断面形状と同一形状を有する第２凹部と、
上記第２凹部の内側に穿設され、第２基板の表面から裏面にかけて貫通し、アダプタプラグの電力取出用ピンが挿入される第２ピン挿入孔と、
を具備する
ことを特徴とする補助プラグ。
【請求項４】
上記第２マスタキーピンは、第１マスタキーピンの先端に延長して設けられ、第１マスタキーピンと一体に形成されていることを特徴とする請求項１，請求項２，または請求項３記載の補助プラグ。
【請求項５】
上記第１マスタキーピンと第３マスタキーピンとは同一長さに形成されていることを特徴とする請求項４記載の補助プラグ。
【請求項６】
上記第４マスタキーピンと第１マスタキーピンおよび第２マスタキーピンとは、基板を介して略同一線上に形成されていることを特徴とする請求項２記載の補助プラグ。
【請求項７】
上記マスタキーピンは、その素材が基板の素材と同一素材で形成されていることを特徴とする請求項１乃至請求項６記載の補助プラグ。
【発明の詳細な説明】
【０００１】
【発明の属する技術分野】
本発明は、電力取出用ピン孔の孔形状が異なる各種タイプの電源コンセントに対して、必要に応じて用いられる補助プラグに関する。
【０００２】
【従来の技術】
一般に、海外では商用電源から供給される電圧が１１０〜２４０ボルトと日本の１００ボルトに比べて高く、その国や地域によって使用する電圧が異なっている。このため、使用する電気器具や人体に対する安全性を考慮して、商用電源の電源コンセントにおける電力取出用ピン孔の孔形状も各国や各地域によって様々な規格のものが採用されている。
【０００３】
例えば、中国では使用電圧には１１０ボルトと２２０ボルトの２通りがあり、電源コンセントの電力取出用ピン孔の孔形状にはＡ，Ｂ，Ｂ３，ＢＦ，Ｃ，Ｏ，およびＳＥタイプの７種類の形状がある（図９参照）。このうちＢ３タイプとＢＦタイプの電源コンセントは、安全性の観点から通常時には電力取出用ピン孔がシャッタで塞がれており、電力取出用ピン孔の近傍にシャッタを開閉するためのシャッタ開閉用ピン孔が設けられたシャッタ開閉式の電源コンセントである。
【０００４】
このため、従来、中国への旅行の際に日本から電気器具を持参する場合には、日本と同じＡタイプを除くＢ，Ｂ３，ＢＦ，Ｃ，Ｏ，およびＳＥタイプの電源コンセントに適合する合計６個のアダプタプラグを携帯する必要があり、荷物の量を極力減らしたい旅行者にとって、アダプタプラグだけで相当な荷物スペースを占めてしまうという不具合があった。特にＢ３タイプとＢＦタイプの電源コンセントに適合するアダプタプラグは、電力取出用ピン孔に差し込む一対のピンと、シャッタ開閉用ピン孔に差し込む１つのピンからなる３ピン構造であるため、アダプタプラグのサイズが大型となり、この点でも携帯の利便性が悪かった。
【０００５】
そこで、このような携帯性の問題を解決するための技術として、本出願人が先に出願して特許となった補助プラグに関する発明がある（特許文献１参照。）。
【０００６】
【特許文献１】
特許第３３１５９４９号公報
【０００７】
特許文献１の発明は、Ａ，Ｂ，Ｂ３，ＢＦ，Ｃ，Ｏ，およびＳＥタイプの孔形状からなる全ての電源コンセントに対して、Ｂ，Ｂ３／ＳＥ，ＢＦ／Ｃ，およびＯタイプの４種類のアダプタプラグと、１個の補助プラグの合わせて５個のプラグで対応可能となっており、プラグの持参個数を減らして携帯の利便性を図ったものである。
【０００８】
ここで、各々のプラグの形状とその使用方法について図１０〜図１２を参照して簡単に説明する。
【０００９】
Ｂタイプのアダプタプラグａｐ１は、図９に示したＢタイプの電源コンセント２の電力取出用ピン孔（φ５．０）に対応する一対の丸型の電力取出用ピンａｐ１１，ａｐ１１を有している（図１０（イ）参照）。
【００１０】
Ｂ３／ＳＥタイプのアダプタプラグａｐ２は、図９に示したＢ３タイプの電源コンセント３の電力取出用ピン孔（φ４．８）とＳＥタイプの電源コンセント７の電力取出用ピン孔（φ４．８）の双方に対応する一対の丸型の電力取出用ピンａｐ２１，ａｐ２１を有している（図１０（ロ）参照）。
【００１１】
ＢＦ／Ｃタイプのアダプタプラグａｐ３は、図９に示したＢＦタイプの電源コンセント４の電力取出用ピン孔（φ４．０）とＣタイプの電源コンセント５の電力取出用ピン孔（φ４．０）の双方に対応する一対の丸型の電力取出用ピンａｐ３１，ａｐ３１を有している（図１０（ハ）参照）。
【００１２】
Ｏタイプのアダプタプラグａｐ４は、図９に示したＯタイプの電源コンセント６の電力取出用ピン孔に対応する逆ハの字形状からなる一対の角型ピンａｐ４１，ａｐ４１を有している（図１０（ニ）参照）。
【００１３】
一方、補助プラグｐは、絶縁体からなる基板ｐ１の表面に突設された丸型ピンからなる第１のマスタキーピンｐ２と、基板ｐ１の裏面に突設された角型ピンからなる第２のマスタキーピンｐ３とを有している（図１１参照）。この補助プラグｐには、それぞれアダプタプラグａｐ１，ａｐ２，ａｐ３，ａｐ４を装着したときのぐらつきを防ぐために、基板ｐ１の表面に形成された第１の凹部ｐ４と、基板ｐ１の裏面に形成された第２の凹部ｐ５とを備えており、第１の凹部ｐ４と第２の凹部ｐ５に共通するピン挿入孔ｐ６，ｐ６が貫通している。
【００１４】
次に、このアダプタプラグと補助プラグの使用方法を図１２に示す。
【００１５】
Ａタイプの電源コンセント１の場合、その孔形状は、日本の電源コンセントの孔形状と同じであるのでアダプタプラグａｐと補助プラグｐは使用せず、電気器具（図示略）の電源プラグをそのまま電源コンセント１の電力取出用ピン孔に挿入できる。
【００１６】
Ｂタイプの電源コンセント２の場合、Ｂタイプのアダプタプラグａｐ１に電気器具の電源プラグを接続し、このアダプタプラグａｐ１の丸型の電力取出用ピンａｐ１１，ａｐ１１をＢタイプの電源コンセント２の電力取出用ピン孔に挿入する。
【００１７】
Ｃ，Ｏ，ＳＥタイプの電源コンセント５，６，７の場合も同様に、ＢＦ／Ｃタイプのアダプタプラグａｐ３，Ｏタイプのアダプタプラグａｐ４，Ｂ３／ＳＥタイプのアダプタプラグａｐ２にそれぞれ電気器具の電源プラグを接続し、各タイプの電源コンセント５，６，７の電力取出用ピン孔に挿入すれば良い。
【００１８】
Ｂ３タイプの電源コンセント３の場合、まず補助プラグｐの第１のマスタキーピンｐ２（丸型）をシャッタ開閉用ピン孔に差し込むことで、電力取出用ピン孔を塞いでいるシャッタを開ける。次に補助プラグｐのピン挿入孔ｐ６を介して電力取出用ピン孔に対し、Ｂ３／ＳＥタイプのアダプタプラグａｐ２の丸型の電力取出用ピンａｐ２１，ａｐ２１を差し込む。これにより、アダプタプラグａｐ２が補助プラグｐの第２の凹部ｐ５に合致してぐらつくことがなく、接触不良によるショート等を防止できる。ＢＦタイプの電源コンセント４の場合も同様に、補助プラグｐを裏返し、第２のマスタキーピンｐ３（角型）でシャッタを開け、ピン挿入孔ｐ６を介して電力取出用ピン孔にＢＦ／Ｃタイプのアダプタプラグａｐ３を差し込めば良い。
【００１９】
つまり、ＢＦ，Ｃタイプの電源コンセント４，５はＢＦ／Ｃタイプのアダプタプラグａｐ３で、Ｂ３，ＳＥタイプの電源コンセント３，７はＢ３／ＳＥタイプのアダプタプラグａｐ２で兼用できる。このうちＢ３，ＢＦタイプのシャッタ開閉式の電源コンセント３，４については、補助プラグｐとアダプタプラグａｐ２，ａｐ３の両プラグを使用することで対応できる。
【００２０】
このように、特許文献１の発明は、Ａ，Ｂ，Ｂ３，ＢＦ，Ｃ，Ｏ，およびＳＥタイプの全ての電源コンセントに対して、Ｂ，Ｂ３／ＳＥ，ＢＦ／Ｃ，およびＯタイプの４個のアダプタプラグと、１個の補助プラグの合わせて５個の小型プラグを携帯すれば良く、プラグの持参個数を減らすことができ、携帯の利便性に優れた有用なものであった。
【００２１】
ところが、近年、特に中国では、電源コンセントの安全性を向上させたＢＦ３点式タイプまたはＯ２タイプといった新たなタイプの電源コンセントが確認されている（図１３参照）。
【００２２】
ＢＦ３点式タイプの電源コンセントは、図１３（イ）に示すように、従来のＢＦタイプを改良したシャッタ開閉式の電源コンセントである。この電源コンセント８は、シャッタ開閉用ピン孔８−３に補助プラグｐの第２のマスタキーピンｐ３を差し込んだだけでは電力取出用ピン孔８−１を塞いでいるシャッタ８−２が開かない。シャッタ開閉用ピン孔８−３と、一対のシャッタ８−２，８−２の外縁部に設けられた一対のシャッタ開閉用ピン溝８−４，８−４の３点に同時にピンを差し込むことによってはじめてシャッタ８−２を開けることができる。
【００２３】
Ｏ２タイプの電源コンセントは、図１３（ロ）に示すように、従来のＯタイプを改良したシャッタ開閉式の電源コンセントである。この電源コンセント９は、電力取出用ピン孔９−１を塞いでいるシャッタ９−２を開閉するシャッタ開閉用ピン孔９−３が設けられている。シャッタ開閉用ピン孔９−３は、その幅が約２ｍｍと狭く、補助プラグｐの第２のマスタキーピンｐ３が差し込めないサイズとなっている。
【００２４】
このように、ＢＦ３点式タイプの電源コンセント８とＯ２タイプの電源コンセント９はどちらも、補助プラグｐと、ＢＦ／Ｃタイプのアダプタプラグａｐ３またはＯタイプのアダプタプラグａｐ４との組み合わせではシャッタ８−２，９−２を開けることができない。このため、ＢＦ３点式タイプまたはＯ２タイプの電源コンセントに適合する新たな補助プラグが必要となり、プラグの持参個数の増加を招き、荷物スペースの増大に繋がるという問題がある。
【００２５】
【発明が解決しようとする課題】
本発明は、上記のような問題点に鑑みてなされたものであり、その目的とするところは、従来からのＢ３タイプとＢＦタイプの電源コンセントに加えて、近年新たに出現したＢＦ３点式タイプまたはＯ２タイプの電源コンセントにも対応でき、シャッタ開閉式の電源コンセントの全てに対応可能な補助プラグを提供することにある。
【００２６】
【課題を解決するための手段】
上記目的を達成するために、本願の請求項１に係る発明は、ＢＦ３点式タイプまたはＯ２タイプの電源コンセントにアダプタプラグを装着する際に使用する補助プラグであって、絶縁体で形成された１つの基板と、基板の表面に突設され、ＢＦ３点式タイプの電源コンセントに設けられたシャッタ開閉用ピン孔に差し込んで電力取出用ピン孔を塞いでいるシャッタを開く第１マスタキーピンと、基板の表面に突設され、Ｏ２タイプの電源コンセントに設けられたシャッタ開閉用ピン孔に差し込んで電力取出用ピン孔を塞いでいるシャッタを開く第２マスタキーピンと、基板の表面に突設され、ＢＦ３点式タイプの電源コンセントのシャッタに設けられた一対のシャッタ開閉用ピン溝に差し込んで電力取出用ピン孔を塞いでいるシャッタを開く一対の第３マスタキーピンと、基板の裏面に形成され、アダプタプラグの断面形状と同一形状を有する凹部と、凹部の内側に穿設され、基板の裏面から表面にかけて貫通し、アダプタプラグの電力取出用ピンが挿入されるピン挿入孔と、を具備することを特徴とする。
【００２７】
また、本願の請求項２に係る発明は、Ｂ３タイプ，ＢＦタイプ，ＢＦ３点式タイプ，またはＯ２タイプのいずれかのタイプの電源コンセントにアダプタプラグを装着する際に使用する補助プラグであって、絶縁体で形成された１つの基板と、基板の表面に突設され、ＢＦタイプまたはＢＦ３点式タイプの電源コンセントに設けられたシャッタ開閉用ピン孔に差し込んで電力取出用ピン孔を塞いでいるシャッタを開く第１マスタキーピンと、基板の表面に突設され、Ｏ２タイプの電源コンセントに設けられたシャッタ開閉用ピン孔に差し込んで電力取出用ピン孔を塞いでいるシャッタを開く第２マスタキーピンと、基板の表面に突設され、ＢＦ３点式タイプの電源コンセントのシャッタに設けられた一対のシャッタ開閉用ピン溝に差し込んで電力取出用ピン孔を塞いでいるシャッタを開く一対の第３マスタキーピンと、基板の裏面に突設され、Ｂ３タイプの電源コンセントに設けられたシャッタ開閉用ピン孔に差し込んで電力取出用ピン孔を塞いでいるシャッタを開く第４マスタキーピンと、基板の裏面に形成され、アダプタプラグの断面形状と同一形状を有する凹部と、凹部の内側に穿設され、基板の裏面から表面にかけて貫通し、アダプタプラグの電力取出用ピンが挿入されるピン挿入孔と、を具備することを特徴とする。
【００２８】
さらに、本願の請求項３に係る発明は、Ｂ３タイプ，ＢＦタイプ，ＢＦ３点式タイプ，またはＯ２タイプのいずれかのタイプの電源コンセントにアダプタプラグを装着する際に使用する第１補助プラグと第２補助プラグとの２分割体から構成された補助プラグであって、第１補助プラグは、絶縁体で形成された第１基板と、第１基板の表面に突設され、ＢＦタイプまたはＢＦ３点式タイプの電源コンセントに設けられたシャッタ開閉用ピン孔に差し込んで電力取出用ピン孔を塞いでいるシャッタを開く第１マスタキーピンと、第１基板の表面に突設され、Ｏ２タイプの電源コンセントに設けられたシャッタ開閉用ピン孔に差し込んで電力取出用ピン孔を塞いでいるシャッタを開く第２マスタキーピンと、第１基板の表面に突設され、ＢＦ３点式タイプの電源コンセントのシャッタに設けられた一対のシャッタ開閉用ピン溝に差し込んで電力取出用ピン孔を塞いでいるシャッタを開く一対の第３マスタキーピンと、第１基板の裏面に形成され、アダプタプラグの断面形状と同一形状を有する第１凹部と、第１凹部の内側に穿設され、第１基板の表面から裏面にかけて貫通し、アダプタプラグの電力取出用ピンが挿入される第１ピン挿入孔と、を具備し、第２補助プラグは、絶縁体で形成された第２基板と、第２基板の表面に突設され、Ｂ３タイプの電源コンセントに設けられたシャッタ開閉用ピン孔に差し込んで電力取出用ピン孔を塞いでいるシャッタを開く第４マスタキーピンと、第２基板の裏面に形成され、アダプタプラグの断面形状と同一形状を有する第２凹部と、第２凹部の内側に穿設され、第２基板の表面から裏面にかけて貫通し、アダプタプラグの電力取出用ピンが挿入される第２ピン挿入孔と、を具備することを特徴とする。
【００２９】
本発明において、第２マスタキーピンは、第１マスタキーピンの先端に延長して設けられ、第１マスタキーピンと一体に形成されているのが好ましい。このように構成されていると、基板上に突設されるマスタキーピンの個数を減らすことができ、プラグのコンパクト化を図ることができる。
【００３０】
また、この場合、第１マスタキーピンと第３マスタキーピンとは同一長さに形成されていることが好ましい。これは、特にＯ２タイプの電源コンセントに差し込んだときに、電源コンセントの壁面に対して第１マスタキーピンと第２マスタキーピンとの継ぎ目に形成される段部と、一対の第３マスタキーピンとの３点で支持され、補助プラグが電源コンセントに対して平行な状態で安定して装着されるためである。
【００３１】
また、特に請求項２に係る発明において、第４マスタキーピンと第１マスタキーピンおよび第２マスタキーピンとは、基板を介して略同一線上に形成されていると良い。
【００３２】
なお、本発明において、マスタキーピンは、その素材を基板の素材と同一素材で一体成形することで、製造工程の簡略化とコスト低減を図ることができる。
【００３３】
【発明の実施の形態】
以下、本発明に係る補助プラグの好適な実施の形態について、添付図面を参照しながら詳細に説明する。
【００３４】
［第１実施形態］
図１は本発明に係る第１実施形態の補助プラグの構成を示す正面図および背面図、図２は同補助プラグの構成を示す側面図、図３は同補助プラグの使用例を示す説明図である。
【００３５】
本実施形態の補助プラグは、ＢＦ３点式タイプまたはＯ２タイプのシャッタ開閉式の電源コンセントに対してアダプタプラグを装着する際に使用するプラグである。
【００３６】
この補助プラグＰ１は、絶縁体で形成された１つの基板１１と、基板１１上に設けられた３種類のマスタキーピン２１，２２，２３と、基板１１に貫通形成されたピン挿入孔３２とを備えている。
【００３７】
基板１１は、例えばポリカーボネイト，ベークライト，エボナイト，プラスチック等の素材で成形され、その形状は下部における幅が上部における幅よりも若干広く、側面部が全体に亘り角がないように滑らかに面取り加工されている。なお、基板１１の厚さＴ１１は約５ｍｍである。
【００３８】
基板１１の表面には、ピン断面が角型の第１マスタキーピン２１と、ピン断面が角型の第２マスタキーピン２２と、ピン断面が角型の一対の第３マスタキーピン２３，２３とが突設されている。
【００３９】
第１マスタキーピン２１は、素材が基板１１と同一の素材で一体成形され、その長さＬ２１が約９ｍｍに設定されている。ピンの断面形状は、ＢＦ３点式タイプの電源コンセント８に設けられたシャッタ開閉用ピン孔８−３の孔形状と合致するように、幅Ｗ２１が８ｍｍ、厚さＴ２１が４ｍｍに設定されている。
【００４０】
第２マスタキーピン２２は、第１マスタキーピン２１の先端を延長した先に同一素材で一体成形され、その長さＬ２２が約１３ｍｍに設定されている。ピンの断面形状は、Ｏ２タイプの電源コンセント９に設けられたシャッタ開閉用ピン孔９−３の孔形状と、Ａタイプの電源コンセント１に設けられたアース端子孔１−１の孔形状と、の双方に合致するサイズとされ、幅Ｗ２３は特に限定されず、厚さＴ２２が２ｍｍ以下に設定されている。ピンの先端部はその角が面取り加工され、シャッタ開閉用ピン孔９−３への差し込みが容易となるように配慮されている。
【００４１】
第２マスタキーピン２２は、その幅Ｗ２２と厚さＴ２２がともに第１マスタキーピン２１の幅Ｗ２１と厚さＴ２１よりも小さく設定されているため、第２マスタキーピン２２と第１マスタキーピン２１との継ぎ目には段部Ｒが形成される。この段部Ｒは、第２マスタキーピン２２をＯ２タイプの電源コンセント９のシャッタ開閉用ピン孔９−３に差し込んだときのストッパとして機能し、第１マスタキーピン２１がこのシャッタ開閉用ピン孔９−３に入り込むのを防止する。
【００４２】
第３マスタキーピン２３は、素材が基板１１と同一の素材で一体成形され、その長さＬ２３が第１マスタキーピン２１と同じく約９ｍｍに設定されている。ピンの断面形状は、ＢＦ３点式タイプの電源コンセント８に設けられたシャッタ開閉用ピン溝８−４の形状と合致するように、幅Ｗ２３が４ｍｍ、厚さＴ２３が３ｍｍに設定されている。一対のピン２３，２３間の間隔Ｓ２３は、一対のシャッタ開閉用ピン溝８−４，８−４間の間隔Ｓ８−４と等しい長さに設定されている。なお、第３マスタキーピン２３の幅Ｗ２３とピン挿入孔３２の孔径は同じサイズに設定されている。
【００４３】
基板１１の裏面には、アダプタプラグの断面形状と同一形状をなす凹部３１が形成されている。この凹部３１の内側には、基板１１の表面から裏面にかけて貫通し、ＢＦ／Ｃタイプのアダプタプラグａｐ３の電力取出用ピンａｐ３１，ａｐ３１が挿入される一対のピン挿入孔３２，３２が穿設されている。
【００４４】
一対のピン挿入孔３２，３２間の間隔は、ＢＦ／Ｃタイプのアダプタプラグａｐ３における電力取出用ピンａｐ３１，ａｐ３１間の間隔と同一間隔に形成されており、かつピン挿入孔３２の径はＢＦ／Ｃタイプのアダプタプラグａｐ３の電力取出用ピンａｐ３１に合致した大きさに形成されている。
【００４５】
なお、補助プラグＰ１に設けられた第１マスタキーピン２１と、一対の第３マスタキーピン２３，２３と、ピン挿入孔３２，３２とは、それぞれＢＦ３点式タイプの電源コンセント８に設けられたシャッタ開閉用ピン孔８−３と、一対のシャッタ開閉用ピン溝８−４，８−４と、電力取出用ピン孔８−１，８−１と適合する位置関係に形成されている。
【００４６】
次に、この補助プラグＰ１の使用方法について図３を参照しながら説明する。
【００４７】
＜ＢＦ３点式タイプの電源コンセントの場合＞
ＢＦ３点式タイプの電源コンセント８を使用する場合、図３（イ）に示すように、第２マスタキーピン２２をシャッタ開閉用ピン孔８−３に、一対の第３マスタキーピン２３，２３を一対のシャッタ開閉用ピン溝８−４，８−４に位置合わせして挿入する。
【００４８】
このとき、第２マスタキーピン２２がシャッタ開閉用ピン孔８−３の奥深くまで進入し、その根元にある第１マスタキーピン２１が挿入されるときには、第３マスタキーピン２３がシャッタ開閉用ピン溝８−４に同時に挿入される。すると、一対の電力取出用ピン孔８−１，８−１を塞いでいた一対のシャッタ８−２，８−２が開き、電源コンセント８が使用可能な状態となる。
【００４９】
そして、補助プラグＰ１を電源コンセント８に装着したままの状態で、持参したＢＦ／Ｃタイプのアダプタプラグａｐ３を電源コンセント８に装着する。この装着方法は、アダプタプラグａｐ３の電力取出用ピンａｐ３１，ａｐ３１を、補助プラグＰ１のピン挿入孔３２，３２を介して電源コンセント８の電力取出用ピン孔８−１，８−１に差し込むことにより行なう。
【００５０】
アダプタプラグａｐ３は、凹部３１に嵌め込まれることで補助プラグＰ１に対してぐらつくことなく堅固に固定され、その結果、電力取出用ピンａｐ３１の電力取出用ピン孔８−１に対する接触不良によるショート等を防止できて安全である。
【００５１】
＜Ｏ２タイプの電源コンセントの場合＞
Ｏ２タイプの電源コンセント９を使用する場合、図３（ロ）に示すように、ＢＦ３点式タイプの電源コンセント９のときとは逆に、第３マスタキーピン２３，２３を上にして、第２マスタキーピン２２をシャッタ開閉用ピン孔９−３に挿入する。
【００５２】
このとき、第２マスタキーピン２２はシャッタ開閉用ピン孔９−３に差し込まれるが、その根元にある第１マスタキーピン２１はシャッタ開閉用ピン孔９−３には入らないサイズであることから段部Ｒの位置で止まる。一方、第３マスタキーピン２３の長さＬ２３は第１マスタキーピン２１の長さＬ２１と等しく形成されているため、第３マスタキーピン２３の先端が電源コンセント９の壁面に当接する。このようにして、基板１１は電源コンセント９の壁面に対して段部Ｒと一対の第３マスタキーピン２３，２３の３点で支持され、補助プラグＰ１が電源コンセント９に対して平行な状態で安定して装着される。また、一対の電力取出用ピン孔９−１，９−１を塞いでいた一対のシャッタ９−２，９−２が開き、電源コンセント９が使用可能な状態となる。
【００５３】
そして、補助プラグＰ１を電源コンセント９に装着したままの状態で、持参したＯタイプのアダプタプラグａｐ４を電源コンセント９に装着する。この装着方法は、アダプタプラグａｐ４の電力取出用ピンａｐ４１，ａｐ４１を電源コンセント９の電力取出用ピン孔９−１，９−１に直接差し込むことにより行なうため、電源コンセント９に対してぐらつくことなく堅固に固定され、その結果、電力取出用ピンａｐ４１の電力取出用ピン孔９−１に対する接触不良によるショート等を防止できて安全である。
【００５４】
このように、補助プラグＰ１によれば、ＢＦ３点式タイプの電源コンセント８の場合には、第２マスタキーピン２２と第３マスタキーピン２３，２３の３ピンによって、一方、Ｏ２タイプの電源コンセント９の場合には、第１マスタキーピン２１の１ピンによって、それぞれシャッタを開けて電源コンセントを使用可能とすることができる。
【００５５】
よって、ＢＦ３点式タイプまたはＯ２タイプの電源コンセント８，９に対しては、少なくとも１つの補助プラグＰ１と２つのアダプタプラグａｐ３，ａｐ４の合わせて３つの小型のプラグを持参すれば良い。このため、両電源コンセント８，９に適合する３ピン構造からなる大型アダプタプラグを持ち運ぶ必要がないので、荷物も嵩張らず携帯に便利である。
【００５６】
なお、第２マスタキーピン２２のピンの断面形状は、Ａタイプの電源コンセント１に設けられたアース端子孔１−１の孔形状にも合致するサイズとなっている。このため、仮にこのアース端子孔を有する３つ孔式のＡタイプの電源コンセントでシャッタ開閉式のものが出現したとしても、Ｏ２タイプの電源コンセント９の場合と同様な方法で第２マスタキーピン２２を差し込めばシャッタを開けることが可能となる。
【００５７】
［第２実施形態］
図４は本発明に係る第２実施形態の補助プラグの構成を示す正面図および背面図、図５は同補助プラグの構成を示す側面図、図６は同補助プラグの使用例を示す説明図である。
【００５８】
本実施形態の補助プラグは、Ｂ３タイプ，ＢＦタイプ，ＢＦ３点式タイプ，またはＯ２タイプのいずれかのシャッタ開閉式の電源コンセントに対してアダプタプラグを装着する際に使用するプラグである。
【００５９】
この補助プラグＰ２は、絶縁体で形成された１つの基板１１と、基板１１上に設けられた４種類のマスタキーピン２１，２２，２３，２４と、基板１１に貫通形成されたピン挿入孔３２とを備えている。
【００６０】
基板１１の素材，形状，および寸法等の構成は、第１実施形態のものと同一であるのでその詳細な説明は省略する。
【００６１】
基板１１の表面には、第１マスタキーピン２１と、第２マスタキーピン２２と、一対の第３マスタキーピン２３，２３とが突設され、基板１１の裏面には、ピン断面が丸型の第４マスタキーピン２４が突設されている。
【００６２】
第１マスタキーピン２１，第２マスタキーピン２２，および第３マスタキーピン２３の素材，形状，および寸法等の構成は、第１実施形態のものと同一であるのでその詳細な説明は省略する。
【００６３】
第４マスタキーピン２４は、素材が基板１１と同一の素材で一体成形され、その長さＬ２４が約１６ｍｍに設定されている。ピンの断面形状は、Ｂ３タイプの電源コンセント３に設けられたシャッタ開閉用ピン孔の孔形状と合致するようにその径が設定されている。ピンの先端部はその角が面取り加工され、シャッタ開閉用ピン孔への差し込みが容易となるように配慮されている。
【００６４】
基板１１の裏面、つまり第４マスタキーピン２４が形成された面には、アダプタプラグの断面形状と同一形状をなす凹部３１が形成されている。この凹部３１の内側には、基板１１の裏面から表面にかけて貫通する一対のピン挿入孔３２，３２が穿設されている。
【００６５】
ピン挿入孔３２は、ＢＦ／Ｃタイプのアダプタプラグａｐ３の電力取出用ピンａｐ３１、またはＢ３／ＳＥタイプのアダプタプラグａｐ２の電力取出用ピンａｐ２１、のどちらも挿入できる孔径に設定されている。つまり、ＢＦ／Ｃタイプのアダプタプラグａｐ３における電力取出用ピンａｐ３１，ａｐ３１間の間隔と、Ｂ３／ＳＥタイプのアダプタプラグａｐ２における電力取出用ピンａｐ２１，ａｐ２１間の間隔とは同一であり、電力取出用ピンａｐ３１の径と電力取出用ピンａｐ２１の径とを比べるとａｐ３１＜ａｐ２１である。よって、ピン挿入孔３２の孔径は、大きい方のＢ３／ＳＥタイプのアダプタプラグａｐ２における電力取出用ピンａｐ２１の径に合わせれば良いことになる。
【００６６】
なお、第４マスタキーピン２４と第１マスタキーピン２１および第２マスタキーピン２２とは、基板１１を介して略同一線上に形成されている。また、補助プラグＰ２に設けられた第１マスタキーピン２１と、一対の第３マスタキーピン２３，２３と、ピン挿入孔３２，３２とは、それぞれＢＦ３点式タイプの電源コンセント８に設けられたシャッタ開閉用ピン孔８−３と、一対のシャッタ開閉用ピン溝８−４，８−４と、電力取出用ピン孔８−１，８−１と適合する位置関係に形成されている。
【００６７】
次に、この補助プラグＰ２の使用方法について図６を参照しながら説明する。
【００６８】
ＢＦ３点式タイプの電源コンセント８と、Ｏ２タイプの電源コンセント９を使用する場合の方法については、上述した第１実施形態と同様の手順で行なうのでその説明は省略する。
【００６９】
＜Ｂ３タイプの電源コンセントの場合＞
Ｂ３タイプの電源コンセント３を使用する場合、図６（イ）に示すように、凹部３１を上側にして、第４マスタキーピン２４をシャッタ開閉用ピン孔３−３に挿入する。第４マスタキーピン２４が形成されている面には他に突起物がないため、第４マスタキーピン２４は根元まで深く進入し、一対の電力取出用ピン孔３−１，３−１を塞いでいたシャッタ３−２，３−２が開き、電源コンセント３が使用可能な状態となる。
【００７０】
そして、補助プラグＰ２を電源コンセント３に装着したままの状態で、持参したＢ３／ＳＥタイプのアダプタプラグａｐ２を電源コンセント３に装着する。この装着方法は、アダプタプラグａｐ２の電力取出用ピンａｐ２１，ａｐ２１を、電源コンセント３の電力取出用ピン孔３−１，３−１に直接差し込むことにより行なうため、電源コンセント３に対してぐらつくことなく堅固に固定される。その結果、電力取出用ピンａｐ２１の電力取出用ピン孔３−１に対する接触不良によるショート等を防止できて安全である。
【００７１】
＜ＢＦタイプの電源コンセントの場合＞
ＢＦタイプの電源コンセント４を使用する場合、図６（ロ）に示すように、第２マスタキーピン２２をシャッタ開閉用ピン孔４−３に、一対の第３マスタキーピン２３，２３を一対のシャッタ４−２，４−２に位置合わせして挿入する。
【００７２】
このとき、第２マスタキーピン２２がシャッタ開閉用ピン孔４−３の奥深くまで進入し、その根元にある第１マスタキーピン２１が挿入されるときには、一対の電力取出用ピン孔４−１，４−１を塞いでいた一対のシャッタ４−２，４−２が開き、一対の第３マスタキーピン２３，２３が挿入され、電源コンセント４が使用可能な状態となる。
【００７３】
そして、補助プラグＰ２を電源コンセント４に装着したままの状態で、持参したＢＦ／Ｃタイプのアダプタプラグａｐ３を電源コンセント４に装着する。この装着方法は、アダプタプラグａｐ３の電力取出用ピンａｐ３１，ａｐ３１を、補助プラグＰ２のピン挿入孔３２，３２を介して電源コンセント４の電力取出用ピン孔４−１，４−１に差し込むことにより行なう。
【００７４】
アダプタプラグａｐ３は、凹部３１に嵌め込まれることで補助プラグＰ２に対してぐらつくことなく堅固に固定され、その結果、電力取出用ピンａｐ３１の電力取出用ピン孔４−１に対する接触不良によるショート等を防止できて安全である。
【００７５】
このように、補助プラグＰ２によれば、ＢＦ３点式タイプの電源コンセント８の場合には第１マスタキーピン２１と第３マスタキーピン２３，２３の３ピンによって、Ｏ２タイプの電源コンセント９の場合には第２マスタキーピン２２の１ピンによって、Ｂ３タイプの電源コンセント３の場合には第４マスタキーピン２４の１ピンによって、ＢＦタイプの電源コンセント４の場合には第１マスタキーピン２１の１ピンによって、それぞれシャッタを開けて電源コンセントを使用可能とすることができる。
【００７６】
よって、シャッタ開閉式の電源コンセント全てに対応するためには、１つの補助プラグＰ１と４つのアダプタプラグａｐ１，ａｐ２，ａｐ３，ａｐ４と合わせて５つの小型プラグを持参すれば良い。このため、シャッタ開閉式の電源コンセント全てに適合する大型のアダプタプラグを持ち運ぶ必要がないので、荷物も嵩張らず、携帯の利便性に優れる。
【００７７】
［第３実施形態］
図７は本発明に係る第３実施形態の補助プラグの構成を示す正面図および背面図、図８は同補助プラグの構成を示す側面図である。
【００７８】
本実施形態の補助プラグは、第２実施形態の補助プラグの変形例として、補助プラグを第１補助プラグと第２補助プラグの２分割体で構成したことを特徴とするものである。
【００７９】
この補助プラグＰ３は、ＢＦ，ＢＦ３点式，およびＯ２タイプの電源コンセント４，８，９のシャッタ開閉機能を備えた第１補助プラグＰ３−１と、Ｂ３タイプの電源コンセント３のシャッタ開閉機能を備えた第２補助プラグＰ３−２とに分割され、両者が絶縁体でなる紐や鎖などの紐状部材４０で連結されて一セットとして構成されている。
【００８０】
第１補助プラグＰ３−１は、絶縁体でなる第１基板１１−１の表面に、上述した第１マスタキーピン２１、第２マスタキーピン２２、および第３マスタキーピン２３，２３が突設されている。第１基板１１−１の裏面にはアダプタプラグの断面形状と同一形状をなす第１凹部３１−１が形成され、この第１凹部３１−１の内側に第１基板１１−１の表面から裏面にかけて貫通する第１ピン挿入孔３２−１，３２−１が穿設されている。第１ピン挿入孔３２−１，３２−１間の間隔は、ＢＦ／Ｃタイプのアダプタプラグａｐ３における電力取出用ピンａｐ３１，ａｐ３１間の間隔と同一間隔に設定されており、第１ピン挿入孔３２−１の孔径は、同電力取出用ピンａｐ３１の径に合致した大きさである。
【００８１】
第２補助プラグＰ３−２には、絶縁体でなる第２基板１１−２の表面に、上述した第４マスタキーピン２４が突設されている。第２基板１１−２の裏面にはアダプタプラグの断面形状と同一形状をなす第２凹部３１−２が形成され、この第２凹部３１−２の内側に第２基板１１−２の表面から裏面にかけて貫通する第２ピン挿入孔３２−２，３２−２が穿設されている。第２ピン挿入孔３２−２，３２−２間の間隔は、Ｂ３／ＳＥタイプのアダプタプラグａｐ２における電力取出用ピンａｐ２１，ａｐ２１間の間隔と同一間隔に設定されており、第２ピン挿入孔３２−２の孔径は、同電力取出用ピンａｐ２１の径に合致した大きさである。
【００８２】
なお、ＢＦ／Ｃタイプのアダプタプラグａｐ３における電力取出用ピンａｐ３１，ａｐ３１間の間隔と、Ｂ３／ＳＥタイプのアダプタプラグａｐ２における電力取出用ピンａｐ２１，ａｐ２１間の間隔とは同一であり、電力取出用ピンａｐ３１の径と電力取出用ピンａｐ２１の径を比べるとａｐ３１＜ａｐ２１である。
【００８３】
本実施形態の補助プラグＰ３によれば、第２実施形態で説明した方法で第１補助プラグＰ３−１と第２補助プラグＰ３−２を共に使用することで第２実施形態と同様の効果が得られる。また、シャッタ開閉式の電源コンセントの孔形状が丸型であるか角型であるかで、第１補助プラグＰ３−１と第２補助プラグＰ３−２とを使い分けることができ、プラグの使い勝手が良い。さらに、第１補助プラグＰ３−１と第２補助プラグＰ３−２は紐状部材４０で連結されており、両プラグの紛失を防止できるとともに、両者を分割すれば、旅行先の国や地域の電源コンセントの孔形状に合わせていずれか一方の補助プラグだけを持参することもでき、携帯の利便性が飛躍的に向上する。
【００８４】
なお、上述した各実施形態において、第１マスタキーピンを第２マスタキーピンの先端に一体成形したが、両者を別々に成形しても良い。また、それぞれのマスタキーピンや基板上に、使用する電源コンセントやアダプタプラグの種類を表示して補助プラグの使い勝手を高める構成なども考えられる。
【００８５】
【発明の効果】
以上詳細に説明したように、本発明に係る補助プラグによれば、以下のような効果を奏する。
【００８６】
（１）ＢＦ３点式タイプまたはＯ２タイプの電源コンセントに対しては、少なくとも１つの補助プラグと２つのアダプタプラグの合わせて３つの小型のプラグを持参すれば良く、両電源コンセントに適合する３ピン構造の大型アダプタプラグを持ち運ぶ必要がないので、荷物も嵩張らず携帯に便利である。
【００８７】
（２）シャッタ開閉式の電源コンセント全てに対応するためには、１つの補助プラグと４つのアダプタプラグと合わせて５つの小型プラグを持参すれば良く、シャッタ開閉式の電源コンセント全てに適合する大型プラグを持ち運ぶ必要がないため、携帯の利便性に優れる。
【００８８】
（３）シャッタ開閉式の電源コンセントの孔形状が丸型であるか角型であるかで、第１補助プラグと第２補助プラグとを使い分けることができ、プラグの使い勝手が良い。さらに、第１補助プラグと第２補助プラグは紐状部材で連結されており、両プラグの紛失を防止できるとともに、両者を分割すれば、旅行先の国や地域の電源コンセントの孔形状に合わせていずれか一方の補助プラグだけを持参することもでき、携帯の利便性が飛躍的に向上する。
【図面の簡単な説明】
【図１】本発明に係る第１実施形態の補助プラグの構成を示す正面図および背面図。
【図２】本発明に係る第１実施形態の補助プラグの構成を示す側面図。
【図３】本発明に係る第１実施形態の補助プラグの使用例を示す説明図。
【図４】本発明に係る第２実施形態の補助プラグの構成を示す正面図および背面図。
【図５】本発明に係る第２実施形態の補助プラグの構成を示す側面図。
【図６】本発明に係る第２実施形態の補助プラグの使用例を示す説明図。
【図７】本発明に係る第３実施形態の補助プラグの構成を示す正面図および背面図。
【図８】本発明に係る第３実施形態の補助プラグの構成を示す側面図。
【図９】従来の電源コンセントの構成を示す平面図。
【図１０】従来のアダプタプラグの構成を示す平面図。
【図１１】従来の補助プラグの構成を示す平面図。
【図１２】従来のアダプタプラグと補助プラグの使用例を示す説明図。
【図１３】従来のプラグでは使用できない電源コンセントの構成を示す平面図。
【符号の説明】
３  電源コンセント（Ｂ３タイプ）
３−１  電力取出用ピン孔
３−２  シャッタ
３−３  シャッタ開閉用ピン孔
４  電源コンセント（ＢＦタイプ）
４−１  電力取出用ピン孔
４−２  シャッタ
４−３  シャッタ開閉用ピン孔
８  電源コンセント（ＢＦ３点式タイプ）
８−１  電力取出用ピン孔
８−２  シャッタ
８−３  シャッタ開閉用ピン孔
８−４  シャッタ開閉用ピン溝
９  電源コンセント（Ｏ２タイプ）
９−１  電力取出用ピン孔
９−２  シャッタ
９−３  シャッタ開閉用ピン孔
１１  基板
１１−１  第１基板
１１−２  第２基板
２１  第１マスタキーピン
２２  第２マスタキーピン
２３  第３マスタキーピン
２４  第４マスタキーピン
３１  凹部
３１−１  第１凹部
３１−２  第２凹部
３２  ピン挿入孔
３２−１  第１ピン挿入孔
３２−２  第２ピン挿入孔
４０  紐状部材
ａｐ１  アダプタプラグ（Ｂタイプ）
ａｐ１１  電力取出用ピン
ａｐ２  アダプタプラグ（Ｂ３／ＳＥタイプ）
ａｐ２１  電力取出用ピン
ａｐ３  アダプタプラグ（ＢＦ／Ｃタイプ）
ａｐ３１  電力取出用ピン
ａｐ４  アダプタプラグ（Ｏタイプ）
ａｐ４１  電力取出用ピン
Ｐ１，Ｐ２，Ｐ３  補助プラグ
Ｐ３−１  第１補助プラグ
Ｐ３−２  第２補助プラグ
Ｌ２１  第１マスタキーピンの長さ
Ｌ２２  第２マスタキーピンの長さ
Ｌ２３  第３マスタキーピンの長さ
Ｌ２４  第４マスタキーピンの長さ
Ｗ２１  第１マスタキーピンの幅
Ｗ２２  第２マスタキーピンの幅
Ｗ２３  第３マスタキーピンの幅
Ｔ１１  基板の厚さ
Ｔ２１  第１マスタキーピンの厚さ
Ｔ２２  第２マスタキーピンの厚さ
Ｔ２３  第３マスタキーピンの厚さ
Ｒ  段部
Ｓ２３  第３マスタキーピン間の間隔
Ｓ８−４  シャッタ開閉用ピン溝間の間隔
【図１】
2004178961.tif 000003
【図２】
2004178961.tif 000004
【図３】
2004178961.tif 000005
【図４】
2004178961.tif 000006
【図５】
2004178961.tif 000007
【図６】
2004178961.tif 000008
【図７】
2004178961.tif 000009
【図８】
2004178961.tif 000010
【図９】
2004178961.tif 000011
【図１０】
2004178961.tif 000012
【図１１】
2004178961.tif 000013
【図１２】
2004178961.tif 000014
【図１３】
2004178961.tif 000015